(57)【要約】      （修正有）【課題】壁面部材据付け時の安全性を確保できるとともに、作業性に優れた補強土壁工法用安全柵の提供。【解決手段】補強土壁工法用安全柵には、開口部５を挟んで配置された複数の壁面部材２にそれぞれ支持される支持体１１と、各支持体１１に支持される横材１２とを備え、支持体１１には、壁面部材２の後面に沿って配置される上下に向けた縦支持部１３と、縦支持部１３の上端部を壁面部材２に固定する取付部１４と、縦支持部１３より後方に向けて突出した後方突出部１５と、後方突出部１５の後方に支持された横材固定具１６とを備え、横材固定具１６は、壁面部材２の後面より突出した補強材取付金具８の後端より後方に位置している。【選択図】図４
0003201927.tif 000002
【実用新案登録請求の範囲】
【請求項１】
開口部を挟んで配置された複数の壁面部材にそれぞれ支持される支持体と、該各支持体に支持され、前記開口部を横切るように配置される横材とを備えている補強土壁工法用安全柵において、
前記支持体には、前記壁面部材の後面に沿って配置される上下に向けた縦支持部と、該縦支持部を前記壁面部材に固定する取付部と、前記縦支持部より後方に向けて突出した後方突出部と、該後方突出部の後方に支持された横材固定具とを備え、該横材固定具は、前記壁面部材の後面より突出した補強材取付金具の後端より後方に位置し、該横材固定具に前記横材が固定されることを特徴とする補強土壁工法用安全柵。
【請求項２】
前記取付部は、前記縦支持部の上端より水平方向に延出した形状の水平材と、該水平材の縦支持部とは反対側の端部より下向きに延出した形状の下向延出材とをもって鉤状に形成され、前記水平材を前記壁面部材の上端部に支持させるとともに前記縦支持部と前記下向延出材との間に前記壁面部材を挟み込むようにしてなる請求項１に記載の補強土壁工法用安全柵。
【請求項３】
前記縦支持部には、前記壁面部材に対し進退可能に支持された固定具を備えている請求項１又は２に記載の補強土壁工法用安全柵。
【請求項４】
前記横材が複数の支持体に跨って支持され、複数の開口部を横切るように配置されている請求項１〜３の何れか１に記載の補強土壁工法用安全柵。
【考案の詳細な説明】
【技術分野】
【０００１】
本考案は、補強土壁工法において安全に壁面部材の据付け作業等をする為の補強土壁工法用安全柵に関する。
【背景技術】
【０００２】
従来、都市部や山岳部等の用地確保の困難な場所において鉛直状壁面を有する土留め構造物を構築する工法としてテールアルメ工法等の補強土壁工法が広く採用されている。
【０００３】
この補強土壁工法（テールアルメ工法）は、図５、図６に示すように、土台１上に複数のコンクリート製の壁面部材（コンクリートスキン）２，２...を互いに隣り合う壁面部材２，２...同士が段違い配置となるように据え付けることにより壁面部を段階的に構築しつつ、壁面後面側に盛り土４を行う作業と、各壁面部材２，２...の後面部に一端を固定させたストリップと呼ばれる帯鋼補強材３，３...を既設盛り土４上に敷設する作業とを繰り返し、盛り土４内に層状に敷設された複数の帯鋼補強材３，３...と盛り土４との摩擦力による引抜抵抗力で土留効果を発揮させるようになっている。尚、図中符号２ａは壁面部材２の前面、符号２ｂは壁面部材２の後面を示している。
【０００４】
このような補強土壁工法にあっては、複数のコンクリート製の壁面部材２，２...を互いに隣り合う壁面部材２，２...同士が段違い配置となるように据え付けることにより壁面部を段階的に構築するため、各段階で上端部に位置する各壁面部材２，２...間に開口部５が形成される。
【０００５】
そこで、従来では、開口部５に安全柵を設け、作業員等の安全性を確保するようにしている（例えば、特許文献１を参照）。
【０００６】
この種の安全柵は、開口部５の両側に配置された壁面部材２，２に支持される一対の支持体６，６と、両支持体６，６に跨って支持され、開口部の後面を横切るように配置される横材７とを備え、横材７で開口部５を遮るようにしている。
【先行技術文献】
【特許文献】
【０００７】
【特許文献１】特開２０１１―１３４１６号公報
【考案の概要】
【考案が解決しようとする課題】
【０００８】
しかしながら、上述の如き従来の技術では、壁面部材２の後面２ｂに帯鋼補強材３を取り付ける為の補強材取付金具８が突出しているため、図７に示すように、開口部５に壁面部材２を吊り下ろして据え付ける際、当該補強材取付金具８と横材７との接触を避けるため、壁面部材２を吊り下ろす前に安全柵を取り外さなければならず、壁面部材２を据付ける際の安全性を確保できていないという問題があった。
【０００９】
また、近年では、安全性確保の為、開口部に対し複数段に横材を配置することが要求されているが、支持体６を取り付ける既設の壁面部材２，２の後面にも補強材取付金具８が突出している為、特許文献１に示すような構造の安全柵では、複数段配置の横材を複数の開口部に跨って横切るように配置することができず、安全柵を開口部毎に設けなければならず、安全柵の設置・撤去作業に手間が掛かり煩雑であるという問題があった。
【００１０】
一方、この種の安全柵にあっては、横材を前面側に配置するよう支持体に支持させることにより、横材と補強材取付金具との接触を避けることができるが、その場合、壁面の前端と横材との間に水平方向で隙間が生じ、その隙間から作業員が足を踏み外すおそれがあり、十分な安全性が確保できていなかった。
【００１１】
そこで、本考案は、このような従来の問題に鑑み、壁面部材据付け作業時の安全性を確保できるとともに、作業性に優れた補強土壁工法用安全柵の提供を目的としてなされたものである。
【課題を解決するための手段】
【００１２】
本考案に係る請求項1に記載の考案の特徴は、開口部を挟んで配置された複数の壁面部材にそれぞれ支持される支持体と、該各支持体に支持され、前記開口部を横切るように配置される横材とを備えている補強土壁工法用安全柵において、前記支持体には、前記壁面部材の後面に沿って配置される上下に向けた縦支持部と、該縦支持部を前記壁面部材に固定する取付部と、前記縦支持部より後方に向けて突出した後方突出部と、該後方突出部の後方に支持された横材固定具とを備え、該横材固定具は、前記壁面部材の後面より突出した補強材取付金具の後端より後方に位置し、該横材固定具に前記横材が固定される補強土壁工法用安全柵にある。
【００１３】
請求項２に記載の発明の特徴は、請求項１の構成に加え、前記取付部は、前記縦支持部の上端より水平方向に延出した形状の水平材と、該水平材の縦支持部とは反対側の端部より下向きに延出した形状の下向延出材とをもって鉤状に形成され、前記水平材を前記壁面部材の上端部に支持させるとともに前記縦支持部と前記下向延出材との間に前記壁面部材を挟み込むようにしてなることにある。
【００１４】
請求項３に記載の発明の特徴は、請求項１又は２の構成に加え、前記縦支持部には、前記壁面部材に対し進退可能に支持された固定具を備えていることにある。
【００１５】
請求項４に記載の発明の特徴は、請求項１〜３の何れか１の構成に加え、前記横材が複数の支持体に跨って支持され、複数の開口部を横切るように配置されていることにある。
【考案の効果】
【００１６】
本考案に係る補強土壁工法用安全柵においては、開口部を挟んで配置された複数の壁面部材にそれぞれ支持される支持体と、該各支持体に支持され、前記開口部を横切るように配置される横材とを備えている補強土壁工法用安全柵において、前記支持体には、前記壁面部材の後面に沿って配置される上下に向けた縦支持部と、該縦支持部を前記壁面部材に固定する取付部と、前記縦支持部より後方に向けて突出した後方突出部と、該後方突出部の後方に支持された横材固定具とを備え、該横材固定具は、前記壁面部材の後面より突出した補強材取付金具の後端より後方に位置し、該横材固定具に前記横材が固定されることにより、後方に横材を配置した安全柵を取り付けたままの状態で壁面部上端の開口部に壁面部材を据え付けることができ、安全性を確保しつつ効率よく作業を行うことができる。
【００１７】
また、本考案において、前記取付部は、前記縦支持部の上端より水平方向に延出した形状の水平材と、該水平材の縦支持部とは反対側の端部より下向きに延出した形状の下向延出材とをもって鉤状に形成され、前記水平材を前記壁面部材の上端部に支持させるとともに前記縦支持部と前記下向延出材との間に前記壁面部材を挟み込むようにしてなることにより、壁面部材に対し支持体を容易に取り付けることができる。
【００１８】
更に、本考案において、前記縦支持部には、前記壁面部材に対し進退可能に支持された固定具を備えていることにより、支持体を壁面部材に確実に固定することができる。
【００１９】
更にまた、本考案において、前記横材が複数の支持体に跨って支持され、複数の開口部を横切るように配置されていることにより、安全柵を取り付けた状態のまま各開口部に新たな壁面部材を据え付けることができるとともに、各壁面部材の据付けが完了した後、クレーン等を用いて一括して持ち上げることができ、開口部毎に安全柵の設置・撤去作業をする必要がなく、作業効率の向上を図ることができる。
【図面の簡単な説明】
【００２０】
【図１】本発明に係る補強土壁工法用安全柵の使用態様の一例を示す正面図である。
【図２】同上の平面図である。
【図３】（ａ）は図１中の安全柵を示す側面図、（ｂ）は同後面図である。
【図４】同上の安全柵を使用した壁面部材の据付け作業の状態を示す部分拡大断面図である。
【図５】補強土壁工法により構築された壁面の一例を示す正面図である。
【図６】同上の縦断面図である。
【図７】従来の壁面部材の据付け作業の状態を示す部分拡大断面図である。
【考案を実施するための形態】
【００２１】
次に、本考案に係る補強土壁工法用安全柵の実施形態を図１〜図４に示した実施例に基づいて説明する。尚、上述の従来例と同様の構成には同一符号を付して説明し、図中符号２は壁面部材（コンクリートスキン）、符号３は帯鋼補強材（ストリップ）、符号４は盛り土、符号５は壁面部材２，２間に生じる開口部である。
【００２２】
補強土壁工法は、図１に示すように、複数のコンクリート製の壁面部材２，２...を互いに隣り合う壁面部材２，２...同士が段違い配置となるように据え付け、壁面部を段階的に構築するものであって、各段階で壁面の上端部に位置する各壁面部材２，２間に開口部５が形成される。
【００２３】
また、補強土壁工法では、各壁面部材２，２...の後面部に補強材取付金具８，８が突出しており、この補強材取付金具８，８に帯鋼補強材３，３...を連結し、盛り土４を行う作業ととともに、既設の盛り土４上に帯鋼補強材３，３...を敷設する作業とを繰り返すことで、盛り土４内に層状に敷設された複数の帯鋼補強材３，３...と盛り土４との摩擦力による引抜抵抗力で土留効果を発揮させるようになっている。尚、図中符号２ａは壁面部材２の前面、符号２ｂは壁面部材２の後面を示している。
【００２４】
補強土壁工法用安全柵１０は、各段階で壁面の上端部に形成された各開口部５を挟んで配置された複数の壁面部材２，２...にそれぞれ支持される複数の支持体１１，１１...と、各支持体１１，１１...に支持され、開口部５の後面側を横切るように配置される横材１２，１２とを備え、横材１２，１２で開口部５を遮ることで、作業員等の安全性を確保するようにしている。
【００２５】
支持体１１，１１...は、丸鋼等を曲げ加工することにより形成され、図３、図４に示すように、壁面部材２，２...の後面に沿って上下に向けた棒状の縦支持部１３と、縦支持部１３の上端部を壁面部材２，２...に固定する取付部１４と、縦支持部１３より後方に向けて突出した複数の後方突出部１５，１５とを一体に備え、後方突出部１５，１５の後方に横材固定具１６が支持され、横材１２，１２を複数段に配置できるようにしている。
【００２６】
取付部１４は、例えば、縦支持部１３の上端より水平方向に延出した形状の水平材１４ａと、水平材１４ａの縦支持部１３とは反対側の端部より下向きに延出した形状の下向延出材１４ｂとをもって鉤状に形成され、水平材１４ａを壁面部材２の上端面に支持させるとともに縦支持部１３と下向延出材１４ｂとの間に壁面部材２の上端部を挟み込むようにすることにより、縦支持部１３を壁面部材２，２...の上端部に着脱可能に固定するようになっている。
【００２７】
また、壁面部材２の上面に段差を有する場合には、水平材１４ａの下面に丸棒状の姿勢安定部材１７ａを備えるようにしてもよい。
【００２８】
この姿勢安定部材１７ａは、水平材１４ａと交差する方向に向けて固定され、水平材１４ａと壁面部材２上面との隙間に介在されるとともに、水平材１４ａを軸とした支持体１１の壁面部材２に対する回転を防止している。
【００２９】
縦支持部１３は、上下に向けた棒状に形成され、その長手方向に間隔を置いて複数の後方突出部１５，１５が後方に向けて一体に支持されている。
【００３０】
また、縦支持部１３には、前面側に縦支持部１３と丸棒状の姿勢安定部材１７ｂが固定されるとともに、壁面部材２に対し進退可能に支持された固定具１８を備えている。
【００３１】
この姿勢安定部材１７ｂは、縦支持部１３と交差する方向に向けて固定され、縦支持部１３と壁面部材背面２ｂとの隙間に介在され、縦支持部１３又は下向延出材１４ｂを軸とした支持体１１の壁面部材２に対する回転を防止している。
【００３２】
固定具１８は、縦支持部１３に支持された板状の雌側支持部１８ａと、雌側支持部１８ａに形成されたネジ孔に締め込まれるボルト部１８ｂと、ボルト部１８ｂの先端に固定された押圧部１８ｃとを備え、ボルト部１８ｂを回転させ雌側支持部１８ａに対し進退させることにより、押圧部１８ｃが縦支持部１３と直交する方向で進退するようになっている。
【００３３】
尚、押圧部１８ｃの表面には、ゴム等の弾性材からなる図示しない押圧パッドを固定してもよい。
【００３４】
各後方突出部１５，１５は、縦支持部１３より後方に突出した突出部本体１５ａと、突出部本体１５ａの後端より上方又は上向きに延出された金具取付体１５ｂとを備え、金具取付体１５ｂに横材固定具１６が固定されている。
【００３５】
突出部本体１５ａは、壁面部材２，２...の後面に突出した補強材取付金具８，８の前後方向長さより長く形成され、支持体１１，１１...を壁面部材２，２...に取り付けた際、後方突出部１５，１５に支持された横材固定具１６の位置が補強材取付金具８，８の後端より後方に位置するようにしている。
【００３６】
横材固定具１６は、金具取付体１５ｂに固定された固定片１６ａと、固定片１６ａの一方の端部に回転軸１６ｂを介して回動自在に支持された保持片１６ｃと、固定片１６ａと保持片１６ｃの他端を着脱可能に連結する留め具１６ｄとを備えたクランプ構造を成し、固定片１６ａと保持片１６ｃとの間に横材１２を保持するようになっている。
【００３７】
横材１２，１２は、単管パイプ等の一定の長さを有する鋼管材を使用し、複数の支持体１１，１１...に跨って支持され、複数の開口部５，５を横切るように配置される。
【００３８】
このように構成された補強土壁工法用安全柵１０は、壁面の上端に位置する各壁面部材２，２...にそれぞれ支持体１１，１１...を容易に取付けることができ、支持体１１，１１...に支持された横材１２，１２で開口部５の後面側を遮ることができるので、作業員の足の踏み外し等を好適に防止し、安全性を確保できる。
【００３９】
一方、この補強土壁工法用安全柵１０では、支持体１１，１１...を壁面部材２，２...に取り付けた状態で横材固定具１６が壁面部材２，２...の後面より突出した補強材取付金具８，８の後端より後方に位置しているので、補強材取付金具８，８と横材１２，１２とが干渉せず、開口部５の後面側に横材１２，１２が配置されている状態で、壁面部材２，２...を既設の壁面部材２，２...間に据え付けることができ、安全性を確保しつつ効率良く作業を行うことができる。
【００４０】
また、この補強土壁工法用安全柵１０では、支持体１１，１１...を壁面部材２，２...に取り付けた状態で横材固定具１６が壁面部材２，２...の後面より突出した補強材取付金具８，８の後端より後方に位置しているので、横材１２，１２を開口部５の後面側に多段に配置した場合であっても、横材１２，１２を複数の支持体１１，１１...に跨って支持させ、横材１２，１２が複数の開口部５の後面側を横切るように配置した状態でユニット化できる。
【００４１】
更に、この複数の開口部５に跨るユニット化した補強土壁工法用安全柵１０では、安全柵を取り付けた状態のまま各開口部５に新たな壁面部材２，２...を据え付けることができるとともに、各壁面部材２，２...の据付けが完了した後、クレーン等を用いて一括して持ち上げることができ、従来例の如く開口部５毎に安全柵の設置・撤去作業をする必要がなく、作業効率の向上を図ることができる。
【００４２】
尚、上述の実施例では、横材１２，１２を二段に配置した例について説明したが、１段配置でもよく、三段以上に配置したものでもよい。
【００４３】
また、上述の実施例では、横材１２，１２に単管パイプ等の鋼管材を使用した例について説明したが、横材１２，１２の態様はこれに限定されず、例えば、木製の手摺部材等を用いてもよい。
【００４４】
更に、横材固定具１６の態様は、上述の実施例に限定されず、例えば、後方突出部１５，１５に雄ネジからなるボルト材を後方に向けて突設し、横材１２，１２に形成された直径方向の貫通孔にこのボルト材を貫通させ、ナットを締め込む構造であってもよい。
【００４５】
更にまた、上述の実施例では、横材１２，１２が複数の開口部５に跨った態様の安全柵について説明したが、開口部５毎に安全柵を設置するようにしてもよい。
【符号の説明】
【００４６】
２  壁面部材（コンクリートスキン）
３  帯鋼補強材
４  盛り土
５  開口部
８  補強材取付金具
１０  補強土壁工法用安全柵
１１  支持体
１２  横材
１３  縦支持部
１４  取付部
１５  後方突出部
１６  横材固定具
１７ａ，１７ｂ  姿勢安定部材
１８  固定具
【図１】
0003201927.tif 000003
【図２】
0003201927.tif 000004
【図３】
0003201927.tif 000005
【図４】
0003201927.tif 000006
【図５】
0003201927.tif 000007
【図６】
0003201927.tif 000008
【図７】
0003201927.tif 000009